(57)【特許請求の範囲】
【請求項１】
放送番組の受信再生に供する機能モジュールを保存する記憶装置と、
双方向通信回線を用いて、電子番組ガイドに含まれる前記機能モジュールの所在情報としてのＷｅｂサーバのＵＲＬを得て、当該Ｗｅｂサーバに接続して前記放送番組の録画予約時に前記機能モジュールを受信する機能受信手段と、
前記記憶装置に対する前記機能モジュールの保存及び削除を実行し、前記機能モジュールがバージョンアップされたとき、前記記憶装置に保存された前記機能モジュールの書き換えを実行し管理する機能登録手段と、
前記記憶装置に保存された前記機能モジュールを、前記放送番組の再生に同期して実行する機能実行手段と、
を備えることを特徴とする機能追加削除型受信機。
【請求項２】
前記機能登録手段は、前記機能モジュールが実行可能な前記放送番組のサービス種別が登録された前記管理テーブルを設け、
前記機能実行手段は、前記管理テーブルを用いて、前記放送番組のサービス種別に対応した前記機能モジュールを前記記憶装置から呼び出して実行することを特徴とする請求項１に記載の機能追加削除型受信機。
【発明の詳細な説明】
【０００１】
【発明の属する技術分野】
本発明は、放送番組の受信再生に必要な機能をカスタマイズして搭載する機能追加削除型の受信機及びその機能搭載方法並びに機能提供方法に関する。
【０００２】
【従来の技術】
データ放送や電子番組案内（以下、「ＥＰＧ：Ｅｌｅｃｔｏｒｏｎｉｃ  Ｐｒｏｇｒａｍ  Ｇｕｉｄｅ」と言う）など、従来のアナログ放送にはない新しい放送サービスが開始され始めた。今後はさらに、電子投票、電子アンケート、蓄積コンテンツのダイジェスト視聴、再放送のリクエストなど、新しい放送サービスの拡大が進むものと予想されている。
【０００３】
ところで、このような新しい放送サービスを受けるには、それぞれの放送サービス、実際には個々の放送番組ごとに対応したアプリケーションプログラムや制御プログラムなどのソフトウェア（以下、「機能モジュール」と言う）を受信機に搭載する必要がある。一つの放送番組を視聴するためには、ＧＵＩ（Ｇｒａｐｙｉｃａｌ  Ｕｓｅｒ  Ｉｎｔｅｒｆａｃｅ）や制御プログラムなど、複数の機能モジュールが必要になることがある。
【０００４】
【発明が解決しようとする課題】
従来の受信機では、幾つかの機能モジュールが予め組み込まれて発売されているため、受信機発売後に新しく開始される放送サービスに対応した放送番組を視聴できないことがある。そのような場合には、新しい機能モジュールを受信機に追加する必要があるが、新しく機能モジュールを追加することは簡単に行えない。また、多数の機能モジュールが搭載されると、場合によっては視聴者に複雑な操作を強いることになり、視聴者を混乱させる恐れがある。搭載している機能モジュールの中には視聴者が使用しないものも含まれているが、これを削除することもできない。このように、従来の受信機では、視聴者の視聴形態に応じた機能モジュールの搭載を自由に行えないという問題点がある。
【０００５】
また、機能モジュールは放送事業者や受信機メーカから提供される。この機能モジュールが放送波或いは通信回線を用いて提供されるとき、その提供形態は業者によって異なる。従来の受信機では、提供形態に応じた機能モジュールの搭載が簡単に行えないという問題点もある。さらに、受信機側で機能モジュールが簡単に搭載できるような機能モジュールの提供方法についても考慮されていないという問題点もある。
【０００６】
本発明は、前記の問題点を解決するために創案されたもので、視聴者の視聴形態に応じて機能モジュールをカスタマイズして搭載でき、機能モジュールの提供形態の違いにも対応できる機能追加削除型受信機の実現を目的としている。
【０００７】
【課題を解決するための手段】
本発明は、前記の目的を達成するために提供されるものであり、その請求項１に係る発明は、放送番組の受信再生に供する機能モジュールを保存する記憶装置と、双方向通信回線を用いて、電子番組ガイドに含まれる前記機能モジュールの所在情報としてのＷｅｂサーバのＵＲＬを得て、当該Ｗｅｂサーバに接続して前記放送番組の録画予約時に前記機能モジュールを受信する機能受信手段と、前記記憶装置に対する前記機能モジュールの保存及び削除を実行し、前記機能モジュールがバージョンアップされたとき、前記記憶装置に保存された前記機能モジュールの書き換えを実行し管理する機能登録手段と、前記記憶装置に保存された前記機能モジュールを、前記放送番組の再生に同期して実行する機能実行手段と、を備える機能追加削除型受信機である。
【０００８】
本発明の機能追加削除型受信機は、放送番組の受信再生に必要な機能モジュールを任意にカスタマイズして搭載するものである。この機能追加削除型受信機は、機能登録手段によって記憶装置に対する機能モジュールの保存と削除とを実行し管理している。機能登録手段は、追加対象の機能モジュールが指定されると、記憶装置の所定領域に機能モジュールを保存する。また、削除対象の機能モジュールが指定されると、記憶装置の所定領域からその機能モジュールを消去する。機能登録手段は、視聴者に対してワンタッチ感覚の登録画面を提供する。視聴者はこの登録画面を用いて、必要な機能モジュールの追加や不要な機能モジュールの削除などを簡単に行う。
【００１０】
本発明の機能追加削除型受信機は、機能モジュールがバージョンアップされたとき、保存されている機能モジュールを新しいバージョンの機能モジュールに書き換えるものである。機能登録手段は、記憶装置に保存している機能モジュールの属性情報を管理している。属性情報としては、機能モジュールの識別子、バージョン番号、作成日時、更新日時などの情報である。追加対象の機能モジュールと既に保存されている機能モジュールとの属性情報を比較する。比較の結果、追加対象の機能モジュールが保存されている機能モジュールのバージョンアップ版であれば、追加対象の機能モジュールを元の機能モジュールに上書き保存する。
【００１２】
本発明の機能追加削除型受信機は、放送番組の受信と同期して機能モジュールが実行されるものである。機能実行手段は、放送番組に含まれている番組識別子を監視している。そして、番組識別子をキーにして、その放送番組に対応した機能モジュールを記憶装置から呼び出して実行する。
【００１４】
本発明の機能追加削除型受信機は、放送波を用いて送付される機能モジュールを受信して保存するものである。衛星や地上中継局からの放送波では、アナログ放送であれば垂直帰線期間や副搬送波を利用して機能モジュールを送付し、デジタル放送であればデータチャンネルを利用して機能モジュールを送付する。この機能追加削除型受信機は、アナログ放送の場合にもデジタル放送の場合にも対応可能な回線インターフェースを備えている。この回線インターフェースは、放送データに含まれている機能モジュールの識別子を常時監視している。そして、その機能モジュールの識別子をキーにして機能モジュールを受信する。受信された機能モジュールは機能登録手段によって記憶装置に保存される。
【００１５】
請求項２に係る発明は、請求項１に記載の機能追加削除型受信機において、前記機能登録手段が、前記機能モジュールが実行可能な前記放送番組のサービス種別が登録された前記管理テーブルを設け、前記機能実行手段が、前記管理テーブルを用いて、前記放送番組のサービス種別に対応した前記機能モジュールを前記記憶装置から呼び出して実行することを特徴とする。
【００２３】
【発明の実施の形態】
次に、図１を参照して機能追加削除型受信機１０の構成について説明する。図１は、機能追加削除型受信機１０の機能構成を示すブロック図である。図１において、機能追加削除型受信機１０は、機能受信手段１１、機能登録手段１２、記憶装置１３、放送番組受信手段１４、機能実行手段１５及びモニタ１６から構成される。
【００２４】
機能受信手段１１は、放送波１又は双方向通信回線２を用いて送付される機能モジュール２１を受信する手段である。機能受信手段１１は、衛星や地上中継局或いはＣＡＴＶなどから送信される放送波１に接続する場合と、インターネットなどの双方向通信回線２に接続する場合とがある。ここで、機能モジュール２１は、放送番組と一緒に送付されることもあれば、放送番組とは別に送付されることもある。
【００２５】
放送波１に接続する場合には、放送波１がアナログ放送の場合には、垂直帰線期間や副搬送波を利用して送出されるデータを受信する。放送波１がデジタル放送の場合には、データチャンネルを利用して送出されるデータを受信する。いずれの場合でも、データの識別子を認識して機能モジュール２１を受信する。機能モジュール２１が放送番組と区別して送付されるときは、電子番組ガイド（ＥＰＧ：Ｅｌｅｃｔｒｏｎｉｃ  Ｐｒｏｇｒａｍ  Ｇｕｉｄｅ）を利用することによって、機能モジュール２１の送出予定日時、送出チャンネルなどの情報が得られる。この情報を見て必要な機能モジュール２１の受信予約を行うと、予定日時にその機能モジュール２１が自動的に受信される。
【００２６】
インターネットなどの双方向通信回線２に接続する場合には、機能モジュール２１が格納されているＷｅｂサーバにアクセスして、Ｗｅｂサーバのダウンロードサービスを受ける。この場合、ＥＰＧを利用すると、ＷｅｂサーバのＵＲＬ（Ｕｎｉｆｏｒｍ  Ｒｅｓｏｕｒｃｅ  Ｌｏｃａｔｏｒ）アドレスなどの所在情報が得られる。視聴者がこれを見てＷｅｂサーバに接続して、必要な機能モジュール２１のダウンロード要求を行うと、その機能モジュール２１が受信されるようになっている。
【００２７】
機能登録手段１２は、機能受信手段１１によって受信された機能モジュール２１の記憶装置１３に対する保存と管理とを制御する手段である。機能登録手段１２は、記憶装置１３における機能モジュール２１の保存状況と属性情報を常時管理する。属性情報とは、機能モジュール２１の識別子、バージョン番号、作成日時、更新日時などの情報である。機能登録手段１２は、機能受信手段１１によって受信された機能モジュール２１と記憶装置１３に既に保存されている機能モジュール２１との属性情報を比較する。受信された機能モジュール２１が記憶装置１３に保存されていなければ、その機能モジュール２１を記憶装置１３に追加保存する。受信された機能モジュール２１が既に保存されている機能モジュール２１のバージョンアップ版であれば、受信された機能モジュール２１を元の機能モジュール２１に上書き保存して書き換える。また、機能登録手段１２は、記憶装置１３に保存されている機能モジュール２１のうち、不要な機能モジュール２１を記憶装置１３から削除する。
【００２８】
機能モジュール２１の保存、書き換え、削除の管理には、所定の管理テーブル（図示しない）を用いるようにしてもよい。管理テーブルには、機能モジュール２１の識別子、バージョン番号、作成日時、更新日時などの属性情報と、それぞれの機能モジュール２１が実行可能な放送番組２２のサービス種別について登録する。放送番組２２のサービス種別については、放送番組２２ごとに付与される識別子を利用することができる。このような管理テーブルを設けるようにして、機能モジュール２１の追加、書き換え、削除の都度これを更新することで、機能モジュール２１の記憶装置１３に対する保存と管理とを適切に制御することができる。
【００２９】
また、機能登録手段１２は、視聴者に対して機能モジュール２１の搭載操作を支援する登録画面をモニタ１６上に提供する機能を有している。例えば、機能モジュール２１の保存状況を登録画面に表示する。前記した管理テーブルの最新状態を一覧表で表示すると、機能モジュール２１の追加や削除の選択操作が楽になる。また、この選択操作を行うための追加ボタンや削除ボタンを登録画面に表示すれば、視聴者はワンタッチ感覚で選択操作を行うことができる。
【００３０】
記憶装置１３は、機能受信手段１１によって受信された機能モジュール２１を保存する手段である。記憶装置１３は、ハードディスクなどの記録媒体で構成されている。この記憶装置１３は、機能モジュール２１の保存だけでなく、放送番組２２や関連コンテンツなどを一緒に蓄積してもよい。このように、記憶装置１３を共用装置として使用する場合、蓄積するデータの種類や用途に応じて、書込／読出速度や記憶容量が異なる複数の記録媒体を使い分けるようなクラスタ構成としてもよい。
【００３１】
放送番組受信手段１４は、放送局から放送波１又は双方向通信回線２を用いて放送される放送番組２２を受信する手段である。放送番組受信手段１４は、機能受信手段１１と同様に、放送波１にも双方向通信回線２にも接続可能である。放送番組受信手段１４は、チューナ部、復調部及び信号処理部から構成されている。チューナ部は、放送番組２２を変調した放送データを受信する。復調部は、受信した放送データを復調する。信号処理部は、復調された放送データに対する誤り訂正、視聴する番組の選択、符号のデコード、スクランブルの解除などを行う。図１の構成例では、放送番組受信手段１４によって受信された放送番組２２は、記憶装置１３に保存される。
【００３２】
機能実行手段１５は、記憶装置１３に保存された機能モジュール２１を実行する手段である。機能実行手段１５は、選択受信された放送番組２２のデータに含まれている番組識別子を常時監視している。番組識別子を認識して、その放送番組２２のサービス種別に対応した機能モジュール２１を記憶装置１３から呼び出して実行する。このとき、前記した管理テーブルを用いて、番組識別子をキーに機能モジュール２１を索引することができる。つまり、放送番組２２の受信に同期してその放送番組２２の視聴に必要な機能モジュール２１が自動的に実行される。
【００３３】
モニタ１６は、放送番組２２のほか、ＥＰＧ画面、登録画面、Ｗｅｂ画面を表示する。モニタ１６は、ブラウン管、プラズマディスプレイ、ＣＲＴ、液晶ディスプレイなどを使用することができる。
【００３４】
次に、図６を参照して本発明の第１の動作例について説明する。この動作例は、いわゆるプッシュ型の機能搭載例である。図６は、放送事業者から送付される機能モジュール２１の機能追加削除型受信機１０への搭載手順を示したフローチャートである。
【００３５】
図６において、放送事業者は、放送波１の垂直帰線期間或いはデータチャンネルを用いてＥＰＧを送出している（Ｓ１０１）。視聴者は機能追加削除型受信機１０に付属されているリモコンを操作して、モニタ１６にＥＰＧを表示させる。このＥＰＧには、これから先の放送予定番組に関する番組情報が含まれている。ＥＰＧ画面の一例を図２（１）に示す。図２（１）において、アイコン３１は、放送番組２２が新しい放送サービスに対応した番組であることを示している。アイコン３１を選択すると、図２（２）に示すモニタ画面には、放送番組２２の番組概要３２、番組のサービス種別３３、録画予約ボタン３４ａ，３４ｂが表示される。視聴者は、録画予約ボタン３４ａを押して、放送番組２２の録画予約を行う（図６のＳ１０２）。
【００３６】
このとき、番組のサービス種別３３には、この放送番組２２の視聴に必要な機能モジュール２１の所在情報としてＷｅｂサーバのＵＲＬが表示されている。視聴者がリモコンを操作してこのＵＲＬを選択すると、機能受信手段１１によってこのＷｅｂサーバに自動的に接続される（図６のＳ１０３）。
【００３７】
Ｗｅｂサーバにアクセスすると、各種の放送番組２２のサービス種別とそれに使用する機能モジュール２１とを紹介するコーナが掲載されている。図３にＷｅｂサーバの画面例を示す。図３のＷｅｂ画面には、放送番組２２のサービス種別メニュー４１、機能説明欄４２、ダウンロードボタン４３が設けられている。サービス種別メニュー４１に表示されている「ダイジェスト視聴」などのサービス種別を選択すると、「ダイジェスト視聴」サービスの実行に必要な機能モジュール２１の説明が機能説明欄４２に表示される。機能モジュール２１の機能内容を確認してダウンロードボタン４３を押すと、Ｗｅｂサーバからその機能モジュール２１が送出される（図６のＳ１０４）。機能追加削除型受信機１０では、機能受信手段１１によってこれをダウンロードする（Ｓ１０５）。
【００３８】
ダウンロードされた機能モジュール２１は、機能登録手段１２によって記憶装置１３に保存される。このとき、ダウンロードされた機能モジュール２１の属性情報と管理テーブルに記載されている機能モジュール２１の属性情報とを比較する。比較した結果、ダウンロードされた機能モジュール２１が、既に記憶装置１３に保存されている機能モジュール２１と同一モジュールであれば、保存を省略してもよい。ダウンロードされた機能モジュール２１が、既に記憶装置１３に保存されている機能モジュール２１のバージョンアップ版であれば、元の機能モジュール２１に上書きして、最新バージョンの機能モジュール２１のみを記憶装置１３に保存する（Ｓ１０５）。
【００３９】
放送番組２２の放送予定日時になると、放送番組２２が放送される（Ｓ１０６）。機能追加削除型受信機１０では、Ｓ１０２で放送番組２２の録画予約を行ったので、放送番組受信手段１４がこの放送番組２２を自動的に受信して、記憶装置１３に録画する（Ｓ１０７）。視聴者がこの放送番組２２を再生すると、機能実行手段１５が放送番組２２のサービス種別を識別して、記憶装置１３に保存された機能モジュール２１を自動的に起動する。このようにして、視聴者は「ダイジェスト視聴」を楽しむことができる（Ｓ１０８）。
【００４０】
ここで、機能モジュール２１が放送番組２２とセットで送付される場合について説明を加える。図６において、放送番組２２が放送されるとき、この放送番組２２に必要な機能モジュール２１が一緒に送出される（Ｓ１０９）。このとき、機能受信手段１１によって機能モジュール２１が受信される。受信された機能モジュール２１は、機能登録手段１２によって、記憶装置１３に保存される（Ｓ１１０）。このとき、機能実行手段１５が放送番組２２のサービス種別「ダイジェスト視聴」を識別して、記憶装置１３に保存された機能モジュール２１を自動的に起動する。このようにして、視聴者は「ダイジェスト視聴」を楽しむことができる（Ｓ１１１）。
【００４１】
次に、図７を参照して本発明の第２の動作例について説明する。この動作例は、いわゆるプル型の機能搭載例である。図７は、受信機メーカから送付される機能モジュール２１の機能追加削除型受信機１０への搭載手順を示したフローチャートである。
【００４２】
図７において、視聴者はリモコンを操作して、モニタ１６に登録画面を表示させる（Ｓ２０１）。登録画面には、既に保存されている機能モジュール２１とそれに対応する各種放送番組２２のサービス種別とが表示されている。図４に登録画面の一例を示す。図４（１）は、機能モジュール２１追加前の登録画面、図４（２）は、機能モジュール２１追加後の画面である。図４（１）の登録画面には、放送番組２２のサービス種別メニュー５１、機能説明欄５２、追加ボタン５３、削除ボタン５４が設けられている。サービス種別メニュー５１には既に記憶装置１３に保存されている機能モジュール２１に対応した放送番組２２のサービス種別が表示されている。サービス種別メニュー５１に表示されている「ダイジェスト視聴」を選択すると、「ダイジェスト視聴」サービスの実行に必要な機能モジュール２１の説明が機能説明欄５２に表示される。
【００４３】
新しく機能モジュール２１を追加するときは、追加ボタン５３を押す。追加ボタン５３が押されると、この機能追加削除型受信機１０の製造者である受信機メーカのＷｅｂサーバに自動的に接続される（図７のＳ２０２）。受信機メーカのＷｅｂサーバにアクセスすると、図３に示したＷｅｂ画面と同様の画面が表示され、機能モジュール２１に関する情報提供がなされている（Ｓ２０３）。図３の画面で、「再放送リクエスト」を選択して、その概要及び実行に必要な機能モジュール２１の説明を閲覧する（Ｓ２０４）。「再放送リクエスト」に対応した機能モジュール２１を取得するときは、ダウンロードボタン４３を押すと、Ｗｅｂサーバから「再放送リクエスト」に対応した機能モジュール２１が送出される（Ｓ２０５）。機能追加削除型受信機１０では、機能受信手段１１によってこれをダウンロードする。
【００４４】
ダウンロードされた機能モジュール２１は、機能登録手段１２によって記憶装置１３に保存される。このとき、ダウンロードされた機能モジュール２１の属性情報と管理テーブルに記載されている機能モジュール２１の属性情報とを比較する。比較した結果、ダウンロードされた機能モジュール２１が、既に記憶装置１３に保存されている機能モジュール２１と同一モジュールであれば、保存を省略してもよい。ダウンロードされた機能モジュール２１が既に記憶装置１３に保存されている機能モジュール２１のバージョンアップ版であれば、元の機能モジュール２１に上書きして、最新バージョンの機能モジュール２１のみを記憶装置１３に保存する（Ｓ２０６）。機能モジュール２１が記憶装置１３に追加されると、図４（２）に示すように、登録画面に機能モジュール２１の追加が反映される。
【００４５】
また、記憶装置１３に保存された機能モジュール２１を削除するときは、図４（１）に示す登録画面上の削除ボタン５４を操作する。図４（１）において、放送番組２２のサービス種別に対応した機能モジュール２１を指定して削除ボタン５４を押すと（図８のＳ２０７）、指定した機能モジュール２１が記憶装置１３から削除される（Ｓ２０８）。機能モジュール２１が記憶装置１３から削除されると、登録画面からも機能モジュール２１が消去される。
【００４６】
ここで、放送番組２２に対応した機能モジュール２１が機能追加削除型受信機１０に保存されると、ＥＰＧ画面を参照したときには、その放送番組２２のサービス種別を示すアイコンが活性表示される。図５にＥＰＧ画面におけるアイコンの活性表示例を示す。図５において、アイコン６１は、放送番組２２が「ダイジェスト視聴」サービスに対応した番組であることを示している。アイコン６２は、放送番組２２が「再放送リクエスト」であることを示している。これらのアイコン表示は、記憶装置１３に「ダイジェスト視聴」と「再放送リクエスト」とに対応した機能モジュール２１がそれぞれ追加されると、非活性表示から活性表示に反転する。反対に、これらの機能モジュール２１が記憶装置１３から削除されると、アイコン表示は活性表示から非活性表示に反転する。このように、機能モジュール２１の追加及び／又は削除に連動して、ＥＰＧ画面上のアイコンの活性表示が変化するので、視聴者はどの放送番組２２を視聴することができるのかを視覚的に把握することが容易になる。
【００４７】
以上、本発明の機能追加削除型受信機及び機能登録方法について一実施の形態例を説明したが、本発明は、前記した実施の形態に限定されることなく、広く変形して実施可能である。例えば、本実施の形態では、機能モジュールが放送番組とは別に送付される場合について説明したが、機能モジュールが放送番組と一緒に送付される場合であっても、機能モジュールの受信、登録、保存、実行が同様に行われる。
【００４８】
【発明の効果】
本発明によれば、以下の効果を奏する。
請求項１の機能追加削除型受信機は、機能登録手段が記憶装置に対する機能モジュールの保存と削除とを実行し管理しているので、視聴者の視聴形態に応じて任意に機能モジュールをカスタマイズすることができる。また、多機能を実現しつつ操作性の複雑化を防ぐことができる。さらに、機能実行手段が放送番組に対応した機能モジュールを記憶装置から自動的に呼び出して実行するので、適切に放送番組を楽しむことができる。
【００４９】
請求項１の機能追加削除型受信機は、機能登録手段が同一機能モジュールの重複保存を回避して機能モジュールを記憶装置に保存するので、記憶容量に制限がある記憶装置を無駄無く効率よく使用することができる。
【００５０】
請求項１の機能追加削除型受信機は、機能実行手段が放送番組の受信に同期してその機能モジュールが自動的に実行するので、視聴者は機能モジュールの搭載有無を意識することなく、自然に放送番組を楽しむことができる。
【００５１】
請求項１の機能追加削除型受信機は、アナログ放送にもデジタル放送波にも対応可能な回線インターフェースを備えているので、機能モジュールが放送波を用いて送付される提供形態に対応することができる。この場合、放送局側が意図した放送番組の利用が促進されるという期待効果が生まれる。また、放送波を用いて共通のユーザインターフェース機能を提供する機能モジュールを送付すれば、放送番組中にその機能の紹介なども容易に行うことができる。
【図面の簡単な説明】
【図１】機能追加削除型受信機の機能構成を示すブロック図である。
【図２】ＥＰＧ画面の一例である。
【図３】Ｗｅｂサーバの画面例である。
【図４】登録画面の一例であり、（１）は機能モジュールの追加前、（２）は機能モジュールの追加後の画面である。
【図５】ＥＰＧ画面におけるアイコンの活性表示である。
【図６】プッシュ型の機能搭載手順を示したフローチャートである。
【図７】プル型の機能搭載手順を示したフローチャートである。
【符号の説明】
１  放送波
２  双方向通信回線
１０  機能追加削除型受信機
１１  機能受信手段
１２  機能登録手段
１３  記憶装置
１４  放送番組受信手段
１５  機能実行手段
１６  モニタ
２１  機能モジュール
２２  放送番組
【図１】
0004150169.tif 000002
【図２】
0004150169.tif 000003
【図３】
0004150169.tif 000004
【図４】
0004150169.tif 000005
【図５】
0004150169.tif 000006
【図６】
0004150169.tif 000007
【図７】
0004150169.tif 000008